(57)【要約】      （修正有）【課題】スキャナー移動読み取り時においてはLEDドライバー等の最低動作電圧を維持できるようにし、流し撮り時においてはLEDドライバー等の過熱を抑制できるようにする画像読取装置を提供する。【解決手段】流し撮り時には、LEDドライバーの入力電圧が高効率動作範囲内に収まる流し撮り用電圧値の給電電圧を給電コイルに入力することによって、流し撮り枚数が多くてもLEDドライバーが過熱するのを防止する。また、スキャナー移動読み取り時には、流し撮り用電圧値よりも高いスキャナー移動読み取り用電圧値の給電電圧を給電コイルに入力する。これによって、受電コイルと給電コイルとの結合係数が最も小さくなるときに、LEDドライバーの入力電圧をLEDドライバーの最低動作電圧以上にする。【選択図】図６
2018019196.tif 000002
【特許請求の範囲】
【請求項１】
光源と光源駆動回路とを含む移動体を有し、スキャナー移動読み取り時には、プラテンガラス上に載置された原稿に対して、前記移動体を移動させながら光照射させ、流し撮り時には、順次搬送される１枚以上の原稿に対して、前記移動体を静止させた状態で光照射させて画像を読み取る画像読取装置であって、
前記移動体に配設され、前記光源と前記光源駆動回路とに給電する受電コイルと、
前記受電コイルの移動経路に沿って装置本体側に列設され、前記受電コイルに無線給電する複数の給電コイルと、
前記給電コイルに入力される給電電圧を制御する電圧制御手段と、を備え、
前記電圧制御手段は、前記スキャナー移動読み取り時において前記受電コイルと前記給電コイルとの結合係数が最も高くなったときの給電電圧よりも、前記流し撮り時における給電電圧の方が低くなるように、前記給電電圧を制御する
ことを特徴とする画像読取装置。
【請求項２】
前記スキャナー移動読み取り時において、前記移動体の移動に伴って変化する前記結合係数を監視する結合係数監視手段と、
給電電圧を入力する給電コイルを切り替える入力先切り替え手段と、を備え、
前記入力先切り替え手段は、前記スキャナー移動読み取りの開始時には、当該開始時において前記移動体の最も近くに位置する給電コイルを前記給電電圧の入力先とし、
前記スキャナー移動読み取りを開始した後は、前記受電コイルと前記入力先の給電コイルとの結合係数が所定値以下になったら、給電コイル列において当該入力先の給電コイルと隣り合う給電コイルであって、当該入力先の給電コイルよりも前記移動体の移動先側にある給電コイルに前記入力先を切り替える
ことを特徴とする請求項１に記載の画像読取装置。
【請求項３】
前記移動体は、前記流し撮り時において複数の位置から原稿に光照射することができ、
前複数の位置のそれぞれにおいて前記結合係数を取得する結合係数取得手段と、
前記流し撮り時においては、前記結合係数取得手段にて取得した結合係数が所定の閾値以上である位置に前記移動体を静止させる静止位置制御手段と、を備える
ことを特徴とする請求項１又は２に記載の画像読取装置。
【請求項４】
前記電圧制御手段は、前記流し撮り時において、前記光源駆動回路の入力電圧が前記光源駆動回路の最低動作電圧以上であって、かつ、原稿の流し撮り枚数に関わらず、前記光源駆動回路の温度上昇が所定温度以下になる電圧値に、前記給電電圧を制御する
ことを特徴とする請求項１から３の何れかに記載の画像読取装置。
【請求項５】
前記電圧制御手段は、前記スキャナー移動読み取り時において、前記移動体の移動に伴って前記結合係数が最小値をとるときに、前記光源駆動回路の入力電圧が前記光源駆動回路の最低動作電圧以上になる電圧値に、前記給電電圧を制御する
ことを特徴とする請求項１から４の何れかに記載の画像読取装置。
【請求項６】
前記電圧制御手段は、前記スキャナー移動読み取り時において、
前記移動体の移動に伴って、前記結合係数が最小値をとるときに前記給電電圧が最大になり、前記結合係数が最大値をとるときに前記給電電圧が最小になるように前記給電電圧を変化させ、かつ、
前記結合係数が最小値をとるときに、前記光源駆動回路の入力電圧が前記光源駆動回路の最低動作電圧以上になるように、前記給電電圧を変化させる
ことを特徴とする請求項１から５の何れかに記載の画像読取装置。
【請求項７】
前記スキャナー移動読み取り時において、前記移動体を移動させる駆動モーターと、
前記駆動モーターの回転角を取得する回転角取得手段と、を備え、
前記電圧制御手段は、前記回転角に応じて前記給電電圧を変化させる
ことを特徴とする請求項６に記載の画像読取装置。
【請求項８】
複数のキャパシターをそれぞれ前記複数の給電コイルに接続した複数のLC共振回路と、
前記LC共振回路のそれぞれに所定の動作周波数の矩形波信号を入力するコイル駆動手段と、
前記スキャナー移動読み取り時において、前記移動体の移動に伴って、前記結合係数が最小値をとるときに前記動作周波数が最小になり、前記結合係数が最大値をとるときに前記動作周波数が最大になるように前記動作周波数を変化させ、かつ、
前記結合係数が最小値をとるときに、前記光源駆動回路の入力電圧が前記光源駆動回路の最低動作電圧以上になるように、前記動作周波数を変化させる動作周波数制御手段と、を備える
ことを特徴とする請求項１から５の何れかに記載の画像読取装置。
【請求項９】
前記スキャナー移動読み取り時に前記受電コイルに給電する給電コイルは、前記流し撮り時に前記受電コイルに給電する給電コイルと同じ構成を有している
ことを特徴とする請求項１から８の何れかに記載の画像読取装置。
【請求項１０】
前記流し撮り時に前記受電コイルに給電する給電コイルは、前記スキャナー移動読み取り時に前記受電コイルに給電する給電コイルと同じ構成を有する複数のコイルを電気的に並列接続し、かつコイルの中心軸が互いに略一致するように重ね合わせた構成を備えている
ことを特徴とする請求項１から８の何れかに記載の画像読取装置。
【請求項１１】
前記流し撮り時に前記受電コイルに給電する給電コイルは、前記スキャナー移動読み取り時に前記受電コイルに給電する給電コイルよりもコイル線径が大きい
ことを特徴とする請求項１から８及び１０の何れかに記載の画像読取装置。
【請求項１２】
前記受電コイルは、前記給電コイルと同じ構成を有している
ことを特徴とする請求項９に記載の画像読取装置。
【請求項１３】
前記受電コイルは、前記給電コイルよりもコイル線径が大きい
ことを特徴とする請求項１から１１の何れかに記載の画像読取装置。
【請求項１４】
前記受電コイルは、前記給電コイルよりも巻き数が多い
ことを特徴とする請求項１から１１及び１３の何れかに記載の画像読取装置。
【発明の詳細な説明】
【技術分野】
【０００１】
本発明は、画像読取装置に関し、特に、本体部から移動体へ無線給電する画像読取装置において、流し撮り時の移動体の過熱を防止すると共にスキャナー移動読み取り時に移動体へ必要な電力を供給する技術に関する。
【背景技術】
【０００２】
従来、画像読取装置には、スキャナーの移動部（以下、「移動体」という。）にLED（Light Emitting Diode）アレイと読み取り光学系を一体で配置した構成や更に読み取り機構も一体化したユニットスキャン構成をとるものがある。移動体への給電方式には、給電線を使用した「有線給電方式」と、電磁誘導を利用する「無線給電方式」とがある。
有線給電方式においては、繰り返しの屈曲に対して高い耐性を有する耐屈電線や、可撓性を有する部材に導電体を形成したFFC（Flexible Flat Cable）が使用される。これによって、断線のリスクを減らすとともに、移動体を駆動する移動機構に与える機械的な抵抗の軽減を図ることができる。
【０００３】
しかしながら、画像読取装置が長寿命化されるに従って、読み取り枚数の累増により耐屈電線やFFCにストレスが蓄積して断線するリスクが高まっている。また、画像読取装置の高速化に対応すべく移動体を高速移動させる際には、耐屈電線やFFCの屈曲負荷が移動速度に影響を与えて、読み取り画像の品位が低下する懸念もある。
これに対して無線給電方式においては、画像読取装置本体に設けられた給電コイルから移動体に設けられた受電コイルに無線給電するため、断線による給電杜絶や移動速度が変動する懸念が存在せず、画像読取装置の更なる長寿命化や高速化に対応し得る給電方式であるとして、将来が有望視されている。
【先行技術文献】
【特許文献】
【０００４】
【特許文献１】特開2011−110920号公報
【特許文献２】特開2011−176949号公報
【発明の概要】
【発明が解決しようとする課題】
【０００５】
しかしながら、移動体の移動により受電コイルが給電コイルから離隔すると誘導起電力が低下して十分な給電を行うことができない。このため、無線給電した電力を二次電池に蓄電し、移動中は二次電池から電力を賄う構成をとると、移動体の重量が増大して移動機構の負荷が大きくなったり充電時間がサイクルタイムに影響したりして読み取り動作が制約を受ける弊害がある。
【０００６】
このような問題に対しては、移動体の移動経路に沿って給電コイル列を配設し、移動中も給電し続ける構成をとれば、蓄電池が不要となるので上記の問題を解消することができる。
しかしながら、給電コイルを列設した場合でも、移動体の移動に伴う受電コイルと給電コイルとの結合係数が変動することは避けられない。その結果、受電コイルの出力電圧が変動して、例えば、LEDドライバーに対する最低動作電圧以上の電圧供給を維持できなくなるおそれがある。
【０００７】
また、画像読取装置による原稿読取方式には、「スキャナー移動読み取り」の他に、移動体を静止させた状態で、自動原稿搬送装置（ADF: Automatic Document Feeder）により原稿を搬送しながら読み取る「流し撮り」がある。流し撮りは、シートスルー方式とも呼ばれ、読み取り生産性が高く、複数枚の原稿を連続して読み取ることができる。
流し撮りにおいては、連続して読み取る原稿の枚数が多く、LEDアレイを長時間点灯させる場合、連続通電によってLEDドライバーや駆動回路が温度上昇し、過熱するおそれがある。温度上昇を抑えるために放熱板などの対策部品を実装することも考えられるが、コストアップに繋がるので実用的ではない。また、連続読み取りの際、放熱を図るため一定時間ごとに読み取りを休止すると、生産性が低下して、ユーザーの利便性を損なってしまう。
【０００８】
本発明の目的は、スキャナー移動読み取り時においてはLEDドライバー等の最低動作電圧を維持できるようにし、流し撮り時においてはLEDドライバー等の過熱を抑制できるようにする画像読取装置を提供することである。
【課題を解決するための手段】
【０００９】
上記課題を解決するため、本発明に係る画像読取装置は、光源と光源駆動回路とを含む移動体を有し、スキャナー移動読み取り時には、プラテンガラス上に載置された原稿に対して、前記移動体を移動させながら光照射させ、流し撮り時には、順次搬送される１枚以上の原稿に対して、前記移動体を静止させた状態で光照射させて画像を読み取る画像読取装置であって、前記移動体に配設され、前記光源と前記光源駆動回路とに給電する受電コイルと、前記受電コイルの移動経路に沿って装置本体側に列設され、前記受電コイルに無線給電する複数の給電コイルと、前記給電コイルに入力される給電電圧を制御する電圧制御手段と、を備え、前記電圧制御手段は、前記スキャナー移動読み取り時において前記受電コイルと前記給電コイルとの結合係数が最も高くなったときの給電電圧よりも、前記流し撮り時における給電電圧の方が低くなるように、前記給電電圧を制御することを特徴とする。
【発明の効果】
【００１０】
このようにすれば、前記スキャナー移動読み取り時において前記受電コイルと前記給電コイルとの結合係数が最も高くなったときの給電電圧よりも、前記流し撮り時における給電電圧の方が低くなるように、前記給電電圧を制御するので、スキャナー移動読み取り時においてはLEDドライバー等の最低動作電圧を維持できるようになり、流し撮り時においてはLEDドライバー等の過熱を抑制できるようになる。
【００１１】
また、前記スキャナー移動読み取り時において、前記移動体の移動に伴って変化する前記結合係数を監視する結合係数監視手段と、給電電圧を入力する給電コイルを切り替える入力先切り替え手段と、を備え、前記入力先切り替え手段は、前記スキャナー移動読み取りの開始時には、当該開始時において前記移動体の最も近くに位置する給電コイルを前記給電電圧の入力先とし、前記スキャナー移動読み取りを開始した後は、前記受電コイルと前記入力先の給電コイルとの結合係数が所定値以下になったら、給電コイル列において当該入力先の給電コイルと隣り合う給電コイルであって、当該入力先の給電コイルよりも前記移動体の移動先側にある給電コイルに前記入力先を切り替えることを特徴とする。
【００１２】
また、前記移動体は、前記流し撮り時において複数の位置から原稿に光照射することができ、前複数の位置のそれぞれにおいて前記結合係数を取得する結合係数取得手段と、前記流し撮り時においては、前記結合係数取得手段にて取得した結合係数が所定の閾値以上である位置に前記移動体を静止させる静止位置制御手段と、を備えることを特徴とする。
また、前記電圧制御手段は、前記流し撮り時において、前記光源駆動回路の入力電圧が前記光源駆動回路の最低動作電圧以上であって、かつ、原稿の流し撮り枚数に関わらず、前記光源駆動回路の温度上昇が所定温度以下になる電圧値に、前記給電電圧を制御することを特徴とする。
【００１３】
また、前記電圧制御手段は、前記スキャナー移動読み取り時において、前記移動体の移動に伴って前記結合係数が最小値をとるときに、前記光源駆動回路の入力電圧が前記光源駆動回路の最低動作電圧以上になる電圧値に、前記給電電圧を制御することを特徴とする。
また、前記電圧制御手段は、前記スキャナー移動読み取り時において、前記移動体の移動に伴って、前記結合係数が最小値をとるときに前記給電電圧が最大になり、前記結合係数が最大値をとるときに前記給電電圧が最小になるように前記給電電圧を変化させ、かつ、前記結合係数が最小値をとるときに、前記光源駆動回路の入力電圧が前記光源駆動回路の最低動作電圧以上になるように、前記給電電圧を変化させることを特徴とする。
【００１４】
また、前記スキャナー移動読み取り時において、前記移動体を移動させる駆動モーターと、前記駆動モーターの回転角を取得する回転角取得手段と、を備え、前記電圧制御手段は、前記回転角に応じて前記給電電圧を変化させることを特徴とする。
また、複数のキャパシターをそれぞれ前記複数の給電コイルに接続した複数のLC共振回路と、前記LC共振回路のそれぞれに所定の動作周波数の矩形波信号を入力するコイル駆動手段と、前記スキャナー移動読み取り時において、前記移動体の移動に伴って、前記結合係数が最小値をとるときに前記動作周波数が最小になり、前記結合係数が最大値をとるときに前記動作周波数が最大になるように前記動作周波数を変化させ、かつ、前記結合係数が最小値をとるときに、前記光源駆動回路の入力電圧が前記光源駆動回路の最低動作電圧以上になるように、前記動作周波数を変化させる動作周波数制御手段と、を備えることを特徴とする。
【００１５】
また、前記スキャナー移動読み取り時に前記受電コイルに給電する給電コイルは、前記流し撮り時に前記受電コイルに給電する給電コイルと同じ構成を有していることを特徴とする。
また、前記流し撮り時に前記受電コイルに給電する給電コイルは、前記スキャナー移動読み取り時に前記受電コイルに給電する給電コイルと同じ構成を有する複数のコイルを電気的に並列接続し、かつコイルの中心軸が互いに略一致するように重ね合わせた構成を備えていることを特徴とする。
【００１６】
また、前記流し撮り時に前記受電コイルに給電する給電コイルは、前記スキャナー移動読み取り時に前記受電コイルに給電する給電コイルよりもコイル線径が大きいことを特徴とする。
また、前記受電コイルは、前記給電コイルと同じ構成を有していることを特徴とする。
また、前記受電コイルは、前記給電コイルよりもコイル線径が大きいことを特徴とする。
【００１７】
また、前記受電コイルは、前記給電コイルよりも巻き数が多いことを特徴とする。
【図面の簡単な説明】
【００１８】
【図１】本発明の第1の実施の形態に係る画像形成装置の主要な構成を示す図である。
【図２】(a)は、スキャナー本体部101の平面図であり、(b)は、スキャナー本体部101及びスキャンユニット103を、(a)のB-B線を含む切断面における断面図であり、(c)は、スキャンユニット103の平面図である。
【図３】スキャンユニット103が備える受電モジュール9及び光源駆動モジュール10の主要な構成を示すブロック図である。
【図４】(a)は、ADF102の概略構成を示し、(b)は、副走査方向におけるスキャンユニット103の目線位置3と、受電コイル200の中心軸との間隔を示す断面図である。
【図５】画像読取装置100が備える制御部15の主要な構成を示すブロック図である。
【図６】(a)は、流し撮り時及びスキャナー移動読み取り時ともに給電電圧が高い場合、(b)は、流し撮り時及びスキャナー移動読み取り時ともに給電電圧が低い場合、(c)は、本実施の形態のそれぞれについてスキャンユニット103の位置とLEDドライバー26の入力電圧の関係を示す図である。
【図７】画像読取装置100による給電電圧の制御動作を表すフローチャートである。
【図８】(a)〜(e)は、流し撮り時の画像読取装置100の動作を順に説明する図である。
【図９】(a)〜(e)は、スキャナー移動読み取り時の画像読取装置100の動作を順に説明する図である。
【図１０】第2の実施の形態に係る受電モジュール9の主要な構成を示すブロック図である。
【図１１】(a)は、受電コイル200と給電コイル210c0〜210c7との結合係数とLEDドライバー26の入力電圧との関係を示し、(b)は、給電電圧の入力先の切り替え動作を説明する図である。
【図１２】第2の実施の形態に係る制御部15の主要な構成を示すブロック図である。
【図１３】給電電圧の入力先の切り替え処理を示すフローチャートである。
【図１４】第3の実施の形態に係る制御部15の主要な構成を示すブロック図である。
【図１５】流し撮り位置の補正処理を示すフローチャートである。
【図１６】結合係数指標値テーブルを例示する表である。
【図１７】スキャンユニット駆動モーター14に入力するパルス数と結合係数の関係を例示する図である。
【図１８】第4の実施の形態に係る制御部15の主要な構成を示すブロック図である。
【図１９】受電コイル200と給電コイル210c0〜210c7との位置関係に応じて給電電圧を制御する処理を示すフローチャートである。
【図２０】スキャンユニット駆動モーター14の回転角θに応じて給電電圧を制御した場合のLEDドライバー26の入力電圧を例示する図である。
【図２１】(a)は、スキャンユニット駆動モーター14の回転角θ、(b)は、スキャンユニット駆動モーター14に入力するパルス数、(c)は、結合係数指標値Cをそれぞれ用いた位置−電圧変換テーブルを例示する。
【図２２】第5の実施の形態に係る制御部15の主要な構成を示すブロック図である。
【図２３】受電コイル200と給電コイル210c0〜210c7との位置関係に応じて動作周波数を制御する処理を示すフローチャートである。
【図２４】コイル制御回路43の主要な構成を示すブロック図である。
【図２５】受電コイル200と給電コイル210c0〜210c7との位置関係に応じて動作周波数を制御した場合のLEDドライバー26の入力電圧を例示する図である。
【図２６】位置−動作周波数変換テーブルを例示する表である。
【図２７】(a)〜(e)は、本発明において使用し得るさまざまなコイル構成を例示する図である。
【図２８】本発明の変形例に係る給電電圧の制御によるLEDドライバー26の入力電圧を例示する図である。
【発明を実施するための形態】
【００１９】
[1]第1の実施の形態
第1の実施の形態は、原稿画像の読み取りが、流し撮りでなされるか、スキャナー移動読み取りでなされるかによって、給電コイルに印加する交流電圧の振幅を変化させる改良に関する。
(1-1)画像形成装置の構成
まず、本実施の形態に係る画像形成装置の構成について説明する。なお、本明細書において、実施の形態の間で共通する部材がある場合には共通の符号が付与されている。
【００２０】
図１に示されるように、本実施の形態に係る画像形成装置１は、いわゆるタンデム型のカラー複合機（MFP: Multi-Function Peripheral）であり、画像読取装置100と、画像形成部110と、給紙部120とで構成される。
画像読取装置100は、スキャナー本体部101と、スキャナー本体部101の上部に設置された自動原稿搬送部（以下、「ADF」という。）102とで構成されており、流し撮り及びスキャナー移動読み取りを実行する。
【００２１】
画像形成部110は、例えば、画像読取装置100が生成した画像データに基づいて画像形成を実行する。画像形成部110は、画像形成ユニット111にてイエロー（Y）、マゼンタ（M）、シアン（C）及びブラック（K）の各色のトナー像を形成し、中間転写ベルト112上に順次重ね合わせて静電転写（1次転写）しカラートナー像を作成する。中間転写ベルト112は無端状のベルトであって、矢印A方向に回転走行する。
【００２２】
給紙部120は給紙トレイ121から記録シートを供給する。供給された記録シートは2次転写ニップ113まで搬送され、中間転写ベルト112からカラートナー像を静電転写（2次転写）される。その後、記録シートは定着部114においてカラートナー像の熱定着がなされ、装置外に排出される。
(1-2)スキャナー本体部101の構成
図2(a)は、スキャナー本体部101の平面図である。本図では、上下方向を主走査方向とし、左右方向を副走査方向としている。本図に示すように、スキャナー本体部101の上面には、副走査方向に沿って、スリットガラス11とプラテンガラス12とが所定の間隔を隔てて配置されている。流し撮り時には、原稿Dは、ADF102によって、スリットガラス11に面接触しながら副走査方向に搬送される。また、スキャナー移動読み取り時には、原稿Dはプラテンガラス12上に配置される。プラテンガラス12の下方には原稿センサー12aが設けられており、原稿センサー12aはプラテンガラス12上に原稿Dが載置されているか否かを検出する。
【００２３】
図2(b)は、図2(a)における一点鎖線B-Bを含む切断面で切断したスキャナー本体部101の断面図である。図2(b)に示すように、スキャナー本体部101は、ハウジング部101aの内部にスキャンユニット103、ガイドレール13a,b、スキャンユニット駆動モーター14、制御部15、支持部材16及び給電コイル210c0〜210c7を収納した構成になっている。
スキャンユニット103は、ガイドレール13a,bに沿って滑動可能になっており、スキャンユニット駆動モーター14により、ガイドレール13a,bに沿って、スキャナー本体部101の内部を副走査方向に移動する。スキャンユニット103は、スキャナー移動読み取り時にはスキャンユニット駆動モーター14の正回転によりC方向へ移動し、スキャナー移動読み取りの完了後はスキャンユニット駆動モーター14の逆回転によりD方向に移動し、ホームポジションまで戻る。
【００２４】
スキャンユニット駆動モーター14の駆動力は、ベルト、ワイヤー、プーリーといった駆動機構（図示せず）を通じて、スキャンユニット103に伝達する。スキャンユニット駆動モーター14は、所謂パルスモーターであり、制御部15が入力するパルス信号に応じてスキャンユニット103を移動させる。
ハウジング部101aの底面上、受電コイル200の移動経路に沿った部分には、8つの給電コイル210c0〜210c7が列設され、給電コイル列を成している。スキャンユニット103の底面外側には、受電コイル200が取着されている。給電コイル210c0〜210c7は、制御部15から給電電圧の入力を受けて給電磁場を発生させ、受電コイル200との相互誘導によって、スキャンユニット103に無線給電する。給電コイル210c0は流し撮り時に給電を行い、給電コイル210c0〜210c7はスキャナー移動読み取り時に給電を行う。
【００２５】
給電コイル210c0〜210c7は、支持部材16に支持されている。これによって、給電コイル210c0〜210c7が受電コイル200と正対したときに、給電コイル210c0〜210c7と受電コイル200との間隔が狭められるので、給電コイル210c0〜210c7と受電コイル200との結合係数（Coupling Coefficient）が高められる。また、給電コイル210c0〜210c7のうち、少なくとも給電コイル210c1〜210c7は等間隔に列設されている。
(1-3)スキャンユニット103の構成
図2(c)は、スキャンユニット103の平面図である。図2(b)、図2(c)に示すように、スキャンユニット103は、主走査方向に長尺のハウジングにLEDアレイ17、撮像モジュール2、ミラー4、5、6、7、8、受電モジュール9及び光源駆動モジュール10を収納したものである。
【００２６】
LEDアレイ17は、図2(b)示すように、複数のLEDを主走査方向に配置することで構成される。LEDアレイ17の出射光は目線位置3に向かう。流し撮り時やスキャナー移動読み取り時には、目線位置3における原稿Dからの反射光が、ミラー4、5、6、7、8によって撮像モジュール2に導かれる。なお、図2(b)において、スキャンユニット103はホームポジションに退避されている。
【００２７】
撮像モジュール2は、CCD（Charge Coupled Device）撮像素子及び通信回路を回路基板に実装したもので、原稿Dからの反射光を受光して、1ラインずつ読み取りデータを生成し、スキャナー本体部101へ読み取りデータを送信する。読み取りデータの送信には、例えば、IrDA（登録商標）やBluetooth（登録商標）等の無線通信が用いられる。スキャナー本体部101は読み取りデータを受信してページ毎の画像データを生成し、得られた画像データに必要に応じて画像処理を施す。
【００２８】
受電モジュール9は、撮像モジュール2や光源駆動モジュール10で利用することができるように、受電コイル200の出力を整流したり変圧したりする。光源駆動モジュール10は、受電モジュール9からの直流給電を利用してLEDアレイ17を発光させる。
(1-4)受電モジュール9及び光源駆動モジュール10
図3を参照しながら、受電モジュール9及び光源駆動モジュール10について説明する。
【００２９】
図3に示すように、受電モジュール9は、整流回路22にて受電コイル200の出力電圧を整流し、DD（Direct current to Direct current）コンバーター23にて整流回路22の整流出力を5Vに降圧して出力する。
光源駆動モジュール10はLEDドライバー26並びにレギュレーター27、28を備える。LEDドライバー26は、整流回路22の整流出力を用いて、LEDアレイ17を発光させる。レギュレーター27はDDコンバーター23の出力電圧5Vを3.3Vに降圧して出力する。レギュレーター28はDDコンバーター23の出力電圧5Vを1.8Vに降圧して出力する。
【００３０】
ここで、LEDドライバー26を正常動作させるには、整流回路22の整流出力電圧がLEDドライバー26の最低動作電圧以上である必要がある。また、流し撮り時に連続して読み取る原稿Dの枚数（以下、「流し撮り枚数」という。）が多い場合にLEDドライバー26の入力電圧が高過ぎるとLEDドライバー26の温度上昇が大きくなり過熱する。このような過熱を防止するためには、LEDドライバー26の入力電圧を、流し撮り枚数が多くてもLEDドライバー26が過熱しない上限電圧以下にする必要もある。このような要件を満たす入力電圧の範囲をLEDドライバー26の「高効率動作範囲」という。
(1-5)ADF102
続いて、図4(a)を参照しながら、ADF102について説明する。
【００３１】
図4(a)に示すようにADF102は原稿トレイ131、ピックアップローラー132、プラテンローラー134、搬送ローラー135、136、モーター137及び排紙ローラー対138を備え、原稿Dを1枚ずつ搬送路133に沿って搬送する。これによって、流し撮り時に原稿Dがスリットガラス11上の流し撮り位置へ搬送され、スキャンユニット103の目線位置3を通過する。
原稿トレイ131には、複数枚の原稿Dからなる原稿束もしくは原稿Dが1枚だけ載置される。原稿トレイ131には原稿センサー131aが設けられており、原稿センサー131aが原稿を検出していなければ、ADF102による原稿搬送、延いては原稿Dの流し撮りは開始されない。
【００３２】
ピックアップローラー132は搬送路133の入口部分に配設されており、原稿トレイ131に載置された原稿Dを1枚ずつ搬送路133に送り出す。
搬送路133は、画像形成装置１の正面から見てU字形になっており、そのU字形の内側に大径のプラテンローラー134が配設されている。プラテンローラー134は、搬送路133に面する箇所のうち、原稿搬送方向上流側において搬送ローラー135が圧接されており、下流側においては搬送ローラー136が圧接されている。モーター137はプラテンローラー134を回転駆動し、搬送ローラー135、136はプラテンローラー134に従動回転する。これによって、原稿Dが流し撮り位置まで搬送される。
【００３３】
原稿Dは流し撮り位置でスリットガラス11に押し付けられ面接触する。これによって、原稿Dがスキャナー移動読み取り103の目線位置3を通過するように規制されるので、スキャンユニット103による高画質の流し撮りが可能になる。流し撮り位置を通過した原稿Dは、排紙ローラー対138によって搬送路133の出口から排出される。
原稿トレイ131上に載置されていた原稿DすべてをADF102が搬送し終わり、原稿センサー131aが原稿トレイ131上の原稿Dを検出しなくなったら、流し撮りが終了する。
【００３４】
図4(a)の下段におけるXhomeは、スキャンユニット103がホームポジションにある場合の目線位置3の副走査方向における位置を表している。
Xadsは、流し撮り時における給電コイル210c0の中心軸の副走査方向における位置を表す。また、Xgls1は、副走査方向におけるスリットガラス11の中心位置を表しており、流し撮り時の目線位置3になっている。XadsからXgls1までの距離は、スキャンユニット103の目線位置3から受電コイル200の中心軸までの距離d1（図4(b)を参照）に等しくなるように設計されている。これによって、流し撮り時には、受電コイル200が給電コイル210c0に正対し、結合係数が高くなるので、効率よく無線給電することができる。
【００３５】
Xscanは、スキャナー移動読み取り時における給電コイル210c1の中心軸の副走査方向位置を表す。また、Xgls2はスキャナー移動読み取り時の読み取り開始時における目線位置3の副走査方向における位置を表している。Xgls2は、スキャナー移動読み取り時におけるプラテンガラス12上で原稿D載置位置よりもXhome側になっている。本実施の形態においては、XscanからXgls2までの距離が、スキャンユニット103の目線位置3から受電コイル200の中心軸までの距離d1よりも短くなっている。
【００３６】
以下、Xgls1を「流し撮り位置」といい、Xgls2を「スキャン開始位置」という。
(1-6)制御部15
続いて、図5、図6を参照しながら、制御部15について説明する。
図5は、制御部15の主要な構成を示す図である。図5に示すように、制御部15は、CPU44やプログラムメモリ47、データメモリ46、ドライバーIC（Integrated Circuit）35、DDコンバーター42、コイル制御回路43等を備えている。CPU44は、プログラムメモリ47からモーター制御プログラム48を読み出して、ドライバーIC35に指示することにより、スキャンユニット駆動モーター14を制御する。また、CPU44は、給電制御プログラム48を読み出して、コイル制御回路43に指示することにより、給電コイル210c0〜210c7に給電電圧を入力したりする。
(1-6-1)スキャンユニット駆動モーター14の制御
CPU44は、原稿センサー12a、131aの検出値等を参照して、流し撮りとスキャナー移動読み取りの何れの原稿読取方式を実行するか決定する。
【００３７】
データメモリ46には、流し撮り位置パルス数Padsとスキャン開始位置パルス数Pscanとが記憶されている。流し撮り位置パルス数Padsは、スキャンユニット103をホームポジションXhomeから流し撮り位置Xgls1まで移動させるためにスキャンユニット駆動モーター14に入力するパルス数である。スキャン開始位置パルス数Pscanは、ホームポジションXhomeからスキャン開始位置Xgls2まで移動させるためのパルス数である。
【００３８】
CPU44は、流し撮り時には、流し撮り位置パルス数Padsを参照し、ドライバーICにパルス数を入力してスキャンユニット駆動モーター14を動作させ、スキャンユニット103の目線位置3を流し撮り位置Xgls1まで移動させる。また、スキャナー移動読み取り時には、スキャナー開始位置パルス数Pscanを参照して、目線位置3をスキャン開始位置Xgls2まで移動させる。
(1-6-2)給電電圧の制御
給電電圧は、低電圧源45からDDコンバーター42、コイル制御回路43を経由して給電コイル210c0〜210c7に入力される。低電圧源45は直流電圧を供給する。DDコンバーター42は、低圧電源の供給電圧を降圧して、コイル制御回路43に供給する。
【００３９】
コイル制御回路43は、CPU44の制御下、給電コイル210c1〜210c7へ入力する給電電圧を制御する。コイル制御回路43は、例えば、デューティー比が1対1である所定の動作周波数の矩形波信号を生成して、給電コイル210c0〜210c7に入力する。この矩形波信号の振幅が給電電圧に等しくなっている。給電コイル210c0〜210c7はそれぞれキャパシター211c0〜211c7とLC共振回路41c0〜41c7を構成しており、入力された矩形波に応じたLC共振動作を行って、正弦波電圧を出力し、給電磁場を発生させる。
【００４０】
本実施の形態おいては、キャパシター211c0〜211c7は、それぞれ一方の端子が給電コイル210c0〜210c7に接続されており、他方が接地されている。
CPU44は、流し撮り時には、データメモリ46から流し撮り用電圧値Vadsを読み出し、また、スキャナー移動読み取り時には、スキャナー移動読み取り用電圧値Vscanを読み出して、コイル制御回路43に給電電圧を指示する。
【００４１】
流し撮り用電圧値Vadsは、流し撮り時において、流し撮り枚数が多くてもスキャンユニット103に搭載されたLEDドライバー26等の回路の過熱を防止するため、受電コイル200に搭載されたLEDドライバー26の入力電圧が高効率動作範囲の上限を超えないような電圧値に設定されている。図6(c)においては、LEDドライバー311の入力電圧603が高効率動作範囲内に収まるように、流し撮り時の給電電圧610が流し撮り用電圧値Vadsになっている。
【００４２】
一方、スキャナー移動読み取り時には、スキャンユニット103の位置に応じて、受電コイル200と給電コイル210c0〜210c7の結合係数が変動するため、LEDドライバー26の入力電圧もまた変動する。スキャナー移動読み取り用電圧値Vscanは、スキャンユニット103の位置に関わらずLEDドライバー26の入力電圧が最低動作電圧以上になるように設定されている。図6(c)においては、LEDドライバー311の入力電圧603が最低動作電圧以上になるように、スキャナー移動読み取り時の給電電圧610がスキャナー移動読み取り用電圧値Vscanになっている。
【００４３】
このため、流し撮り用電圧値Vadsはスキャナー移動読み取り用電圧値Vscanよりも低くなっている。流し撮り用電圧値Vadsがスキャナー移動読み取り用電圧値Vscanよりも少しでも低くなっていれば、流し撮り用電圧値Vadsがスキャナー移動読み取り用電圧値Vscanと等しい場合よりも流し撮り時の過熱を防止する効果がある。
また、本実施の形態においては、スキャナー移動読み取り時に移動するスキャンユニット103の位置に関係なく、給電コイル210c1〜210c7に入力される給電電圧の値はスキャナー移動読み取り用電圧値Vscanである。従って、スキャナー移動読み取り時に受電コイル200と給電コイル210c1〜210c7との結合係数が最大になるときの給電電圧はスキャナー移動読み取り用電圧値Vscanである。
【００４４】
なお、図6において、グラフ601〜603は何れもスキャンユニット103の位置とLEDドライバー26の入力電圧との関係を表している。また、グラフ610はスキャンユニット103の位置と給電電圧との関係を表しており、スキャン開始位置Xgls2よりもホームポジションXhome側においては、給電電圧が流し撮り用電圧値Vadsになっており、反対側においてはスキャナー移動読み取り用電圧値Vscanになっている。
【００４５】
原稿読取方式に関係なく一定の給電電圧を入力する場合を考えると次のような問題が生じる。例えば、流し撮り時の過熱防止のみを考慮して、受電コイル200と給電コイル210c0〜210c7とが正対する場合におけるLEDドライバー26の入力電圧601が高効率動作範囲内に入るように給電電圧を設定すると、スキャナー移動読み取り時にLEDドライバー26の入力電圧601が最低動作電圧を下回ってしまう（図6(a)）。
【００４６】
さりとて、スキャナー移動読み取り時にスキャンユニット103の位置に関係なくLEDドライバー26の入力電圧602が最低動作電圧以上になるように給電電圧を設定すると、受電コイル200と給電コイル210c0〜210c7との結合係数が最小となる場合におけるLEDドライバー26の入力電圧602が最低動作電圧以上になるように給電電圧を設定せざるを得ない。すると、流し撮り時には、受電コイル200と給電コイル210c0〜210c7とが正対し、結合効率が最も高くなって、LEDドライバー26の入力電圧602が高効率動作範囲を超えて高くなるので、流し撮り枚数が多いとLEDドライバー26等の過熱を避けることができない（図6(b)）。
【００４７】
従って、本実施の形態のように、給電電圧を切り替えれば、流し撮り時の過熱を防止することができると同時に、スキャナー移動読み取り時にLEDドライバー26の入力電圧を最低動作電圧以上に維持することができる。
(1-7)画像読取装置100の読み取り動作
画像読取装置100の読み取り動作について説明する。
【００４８】
図7に示すように、画像読取装置100は、ユーザーが画像形成装置1の操作パネルを操作して原稿Dの読み取り開始を指示すると（S701:YES）、原稿センサー12a、131aの検出値等に応じて、流し撮りとスキャナー移動読み取りの何れの原稿読取方式を実行するか決定する。原稿読取方式が流し撮りである場合には（S702:流し撮り）、ステップS711以下の流し撮り処理を実行する。また、スキャナー移動読み取りである場合には（S702:スキャナー移動読み取り）、ステップS721以下のスキャナー移動読み取り処理を実行する。
(1-7-1)流し撮り処理
ユーザーから読み取り開始を指示された後、ADF102の原稿トレイ131上に原稿Dが載置されているのを検出したら（図8(a)）、原稿読取方式が流し撮りに決定され、流し撮り処理が実行される。
【００４９】
流し撮り処理においては、まず、データメモリ46から流し撮り位置パルス数Padsを読み出して、ドライバーIC35に設定し、スキャンユニット駆動モーター14にパルス信号を入力することによって、スキャンユニット103をホームポジションXhomeから目線位置3が流し撮り位置Xgls1に来るまで移動させる（S711）。なお、本実施の形態においては、後述のように、スキャンユニット103は予めホームポジションに退避しているが、念のため流し撮り位置Xgls1へ移動に先立って、ホームポジションへスキャンユニット103を退避し直してもよい。
【００５０】
なお、この移動に合わせて、ADF102に原稿Dを読み取り位置まで搬送させれば、読み取り開始タイミングを早めることができるので、生産性を向上させることができる。
次に、画像読取装置100は、データメモリ46から流し撮り用電圧値Vadsを読み出して、コイル制御回路43に設定することによって、給電電圧として流し撮り用電圧値Vadsを給電コイル210c0に入力する（S712）。これによって、スキャンユニット103への給電が開始されるので、原稿Dの読み取りが可能になる（図8(b)）。
【００５１】
なお、給電電圧の入力開始は、スキャンユニット103が流し撮り位置に到達する前に開始してもよい。このようにすれば、当該到達後に入力開始する場合よりも生産性を高めることができる。
また、コイル制御回路43は、給電コイル210c0〜210c7のすべてに同じ給電電圧を入力してもよい。このようにすれば、コイル制御回路43の回路構成を単純化することができるので、画像読取装置100の低コスト化を図ることができる。また、コイル制御回路43は、CPU44の指定に従って、流し撮り時には給電コイル210c0のみに給電電圧を入力し、スキャナー移動読み取り時には給電コイル210c0を除いた給電コイル210c1〜210c7のすべてに給電電圧を入力してもよい。このようにすれば、給電電圧を入力する給電コイル数を低減することができるので、画像読取装置100を省電力化することができる。
【００５２】
スキャンユニット103が流し撮り位置に到達したら、流し撮りを開始する（S713）。原稿トレイ131上に複数の原稿Dが積載されている場合には、ADF102で1枚ずつ順に搬送して読み取る（図8(c)、(d)）。流し撮り用電圧値Vadsの給電電圧を給電コイル210c0に入力しているので、LEDドライバー26の入力電圧が高効率動作範囲になっており、流し撮り枚数が多くてもLEDドライバー26等は過熱しない。
【００５３】
原稿センサー131aが原稿トレイ131上に原稿Dを検出しなくなることによって最後のページが検出された後、当該最後のページの読み取りを完了したら（S714:YES）、給電電圧の入力を停止すると共に（S715）、スキャンユニット103をホームポジションに退避して（S716）、流し撮り処理を終了する（図8(e)）。その後、ステップS701に進んで、上記の処理を繰り返す。
(1-7-2)スキャナー移動読み取り処理
スキャナー移動読み取り処理においては、データメモリ46からスキャン開始位置パルス数Pscanを読み出して、ドライバーIC35に設定し、スキャンユニット103の目線位置3を図9(a)に示すホームポジションXhomeからスキャン開始位置Xgls2まで移動させる（S721）。
【００５４】
次に、画像読取装置100は、データメモリ46からスキャナー移動読み取り用電圧値Vscanを読み出して、コイル制御回路43に設定することによって、給電電圧としてスキャナー移動読み取り用電圧値Vscanを給電コイル210c1〜210c7に入力する（S722）。これによって、スキャンユニット103への給電が開始されるので、原稿Dの読み取りが可能になる（図9(b)）。
【００５５】
なお、給電電圧の入力開始は、目線位置3がスキャン開始位置Xgls2に到達する前に開始してもよい。このようにすれば、当該到達後に入力開始する場合よりも生産性を高めることができる。
目線位置3がスキャン開始位置Xgls2に到達したら、スキャナー移動読み取りを開始する（S723）。これによって、スキャンユニット103はプラテンガラスに沿って移動し、給電コイル210c1〜210c7から順次、無線給電を受けながら、原稿Dを読み取ってゆく(図9(c)、(d))。給電コイル210c1〜210c7にはスキャナー移動読み取り用電圧値Vscanの給電電圧が入力されているので、受電コイル200と給電コイル210c1〜210c7との位置関係に関わらず、LEDドライバー26の入力電圧が最低動作電圧以上に維持することができる。
【００５６】
その後、原稿Dのページ全体の読み取りを完了したら（S724:YES）、給電電圧の入力を停止すると共に（S715）、スキャンユニット103をホームポジションに退避して（S716）、スキャナー移動読み取り処理を終了する（図9(e)）。その後、ステップS701に進んで、上記の処理を繰り返す。
[2]第2の実施の形態
第2の実施の形態に係る画像形成装置は、上記第１の実施の形態に係る画像形成装置1と概ね同様の構成を備える一方、スキャナー移動読み取り時にスキャンユニット103への給電に寄与しない給電コイル210c1〜210c7には給電電圧を入力しないことによって、省電力化を図る点において相違している。以下、この相違点に着目して説明する。なお、本明細書において、実施の形態間で共通する要素については共通の符号が付されている。
(2-1)受電モジュール9
本実施の形態に係る受電モジュール9について説明する。
【００５７】
図10に示されるように、本実施の形態に係る受電モジュール9は、ADコンバーター（Analogue to Digital Converter）24と指標値送信回路29が追加されている点を特徴とする。ADコンバーター24は整流回路22の出力電圧（LEDドライバー26の入力電圧）をデジタル値に変換する。整流回路22は、受電コイル200に誘起する受電電圧は交流電圧を整流し、平滑化した整流電圧を出力するので、給電コイル210c0〜210c7に入力される給電電圧が一定であれば、当該整流電圧は受電コイル200と給電コイル210c0〜210c7との結合係数に応じて変化する（図11(a)）。
【００５８】
このため、整流電圧をAD変換したデジタル値は受電コイル200と給電コイル210c0〜210c7との結合係数の指標値Cとして利用することができる。以下、当該デジタル値を「結合係数指標値」というものとする。
指標値送信回路29は、スキャナー本体部101からの要求に応じて、当該要求を受けた時点の結合係数指標値Cをスキャナー本体部101に送信する。スキャナー本体部101は、後述のように、結合係数指標値Cを参照して給電電圧を入力する給電コイル210c0〜210c7を切り替える。
【００５９】
なお、スキャナー本体部101は、スキャンユニット103が所定距離だけ移動するたびに指標値送信回路29に結合係数指標値Cを要求してもよい。スキャンユニット103の移動距離は、例えば、スキャンユニット駆動モーター14に入力されるパルス数によって評価することができる。また、結合係数指標値の送信には、例えば、IrDA（登録商標）やBluetooth（登録商標）等の無線通信を用いることができる。
(2-2)制御部15
次に、本実施の形態に係る制御部15について説明する。
【００６０】
図12は、本実施の形態に係る制御部15の主要な構成を示すブロック図である。なお、図12においては、スキャンユニット駆動モーター14に関連する構成は省略されている。
図12に示されるように、制御部15は、通信部53にてスキャンユニット103の指標値送信回路29と通信することによって結合係数指標値Cを取得し、データメモリ46に記憶する。
データメモリ46に記憶されているカレントコイル番号は、給電電圧を入力すべき給電コイル210c0〜210c7の番号を示す。本実施の形態においては、1から7の何れかの番号が格納される。CPU44は、カレントコイル番号を参照して、セレクター51を切り替えることによって、給電電圧を入力すべき給電コイル210c0〜210c7を切り替える。切り替えスイッチ50c0〜50c7は、給電コイル210c0〜210c7への給電電圧の入力を接続、遮断する。セレクター51は、CPU44からの制御信号に従って、切り替えスイッチ50c0〜50c7の何れか1つのみを接続し、他は遮断する。
【００６１】
結合係数指標値Cは、受電コイル200と、給電電圧を入力されている給電コイル210c0〜210c7との結合係数を指標する。また、給電電圧を入力されているのは、カレントコイル番号に格納されている番号の給電コイル210c0〜210c7である。従って、結合係数指標値Cは、カレントコイル番号の給電コイル210c0〜210c7と受電コイル200との結合係数を指標していることになる。
【００６２】
プログラムメモリ47が記憶するプログラムには、結合係数モニタープログラム55とセレクター制御プログラム56が追加されている。結合係数モニタープログラム55は、スキャンユニット103から結合係数指標値Cを取得するためのプログラムである。また、セレクター制御プログラム56は、結合係数指標値Cに応じてセレクター51を制御するためのプログラムである。
(2-3)画像読取装置100の動作
次に、本実施の形態に係る画像読取装置100の動作について説明する。
【００６３】
図13は、本実施の形態に係る画像読取装置100の動作のうち、第1の実施の形態に係る画像読取装置100の動作を表した図７のフローチャートのステップS722に引き続く処理を示すフローチャートである。
図７におけるステップS721の処理の後、図13に示されるように、画像読取装置100はカレントコイル番号iを1に初期化し（S1301）、カレントコイル番号1の切り替えスイッチ50c1をオンして給電コイル210c1に給電電圧を入力した後（S1302）、スキャナー移動読み取りを開始する（S1303）。
【００６４】
なお、目線位置3がスキャン開始位置Xgls2にある状態で結合係数指標値Cを取得すると、取得した結合係数指標値Cが後述する閾値Cth以上になるように給電コイル210c0が配置されている。このようにすれば、目線位置3がスキャン開始位置Xgls2に到達した時点から直ちにスキャナー移動読み取りを開始することができる。
スキャナー移動読み取りを開始した後、次のようにして、給電電圧の入力先となる給電コイル210c0〜210c7を切り替える。まず、画像読取装置100は、スキャンユニット103から結合係数指標値Cを取得して（S1304）、閾値Cthと比較する。結合係数指標値Cが閾値Cth以上ならば（S1305:NO）、ステップS1304に進む。なお、給電コイル210c0〜210c7が大きかったり、スキャンユニット103の移動速度が遅かったりして、結合係数指標値Cの変化が緩やかである場合には、ステップS1304に進むのを所定時間だけ待ってもよい。
【００６５】
このようにすれば、結合係数指標値Cを参照する頻度を下げることができるので、画像読取装置100の処理負荷を軽減することができる。また、スキャンユニット103が所定距離だけ進むたびに結合係数指標値Cを参照することにしても同様の効果を得ることができる。
結合係数指標値Cが閾値Cthよりも小さければ（S1305:YES）、カレントコイル番号iを1だけ増加させて（S1306）、カレントコイル番号i-1の切り替えスイッチ50c(i-1)をオフして給電コイル210c(i-1)への給電電圧の入力を停止すると共に、カレントコイル番号iの切り替えスイッチ50ciをオンして給電コイル210ciへの給電電圧の入力を開始する（S1307）。このようにして、給電電圧の入力先が切り替えられる。
【００６６】
例えば、図11(b)に示すように、給電電圧の入力先が給電コイル210c1から給電コイル210c2に切り替えられた後、受電コイル200が給電コイル210c2との正対位置に近づくにつれて結合係数指標値Cが増加する。受電コイル200が給電コイル210c2との正対位置を通過すると結合係数指標値Cは減少に転じる。その後、結合係数指標値Cが閾値Cthより小さくなったら、給電電圧の入力先が給電コイル210c3に切り替えられる。このようにすれば、スキャンユニット103への給電に寄与しない給電コイル210c0〜210c7には給電電圧を入力しないので、画像読取装置100の消費電力を低減することができる。
【００６７】
なお、隣り合う給電コイル210ci〜210c(i+1)の概ね中間（以下、「中間位置」という。）に受電コイル200が位置するときに、給電コイル210ciと受電コイル200との結合係数指標値Ciが給電コイル210c(i+1)と受電コイル200との結合係数指標値C(i+1)とが等しくなる。このときの結合係数指標値Cを均衡値Cqということにする。
この均衡値Cqよりも閾値Cthを大きくすると、中間位置に受電コイル200が到達する前に、結合係数指標値Ciが閾値Cthよりも小さくなるので、給電電圧の入力先が給電コイル210c(i+1)に切り替わる。
【００６８】
しかしながら、中間位置に受電コイル200が到達する前においては、給電コイル210c(i+1)のほうが給電コイル210ciよりも受電コイル200から遠いので、結合係数指標値C(i+1)は結合係数指標値Ciよりも小さい。従って、結合係数指標値C(i+1)もまた閾値Cthよりも小さいので、給電電圧の入力先が更に給電コイル210c(i+2)に切り替えられてしまう。給電コイル210c(i+2)は更に受電コイル200から遠く、結合係数指標値C(i+2)もまた閾値Cthよりも小さいので、更に給電電圧の入力先が切り替えられる。その結果、スキャンユニット103に十分な電力を供給することができなくなる。
【００６９】
このため、閾値Cthは均衡値Cqよりも小さいのが望ましい。このようにすれば、給電電圧の入力先を切り替えた後の結合係数指標値Cが確実に閾値Cthよりも大きくなるので、上記のような問題を回避することができる。
また、言うまでもなく、閾値CthはLEDドライバー26の最低動作電圧のデジタル値Cminよりも大きいのが望ましい。このようにすれば、LEDドライバー26を確実に動作させることができる。
【００７０】
以上をまとめると、閾値Cthの望ましい範囲は、
Cmin  ＜  Cth  ＜  Cq
である。
その後、ページ全体の読み取りが完了していなければ（S724:NO）、ステップS1304に進んで上記の処理を繰り返す。ページ全体の読み取りが完了したら（S724:YES）、ステップS715に進む。その後の処理は上記第1の実施の形態と同様である。
[3]第3の実施の形態
本実施の形態に係る画像読取装置100は上記第1、2の実施の形態に係る画像読取装置100と概ね同様の構成を備える一方、流し撮り時におけるスキャンユニット103への給電効率を最適化する点において相違している。以下、この相違点に着目して説明する。
(3-1)制御部15
まず、本実施の形態に係る制御部15について説明する。
【００７１】
制御部15は、流し撮り時におけるスキャンユニット103への給電効率を最適化するために、受電コイル200と給電コイル210c0との結合係数が最も高くなるように、流し撮り時におけるスキャンユニット103の流し撮り位置を補正する。このため、本実施の形態においては、上記第2の実施の形態と同様に、制御部15はスキャンユニット103から結合係数指標値Cを取得する。このため、本実施の形態に係るスキャンユニット103は、結合係数指標値Cの生成と送信に関して、上記第2の実施の形態に係るスキャンユニット103と同様の構成を備えている。
【００７２】
図14は、制御部15の主要な構成を示すブロック図である。図14に示すように、制御部15のプログラムメモリ47は上記第1、2の実施の形態と同様に、モーター制御プログラム48及び結合係数モニタープログラム55を記憶する他、本実施の形態に特有の構成として、更に流し撮り位置補正プログラム57も記憶している。データメモリ46は、上記第1、2の実施の形態と同様に流し撮り位置パルス数Padsを記憶する他、結合係数指標値テーブル、流し撮りポジション開始位置パルス数Pstart及び流し撮りポジション終了位置パルス数Pendを記憶する。
【００７３】
ここで、流し撮りポジションとは、スキャンユニット103の目線位置3がスリットガラス11内にあるときのスキャンユニット103の位置の範囲をいう。流し撮りポジション開始位置Pstartは、副走査方向におけるスリットガラス11の2つの端部のうち、ホームポジションXhome側の端部まで目線位置3を移動させるために駆動モーターに入力すべきパルス数が流し撮りポジション開始位置Pstartであり、スリットガラス11の他方の端部に目線位置3を移動させるためのパルス数が流し撮りポジション終了位置Pendである。
(3-2)流し撮り位置補正処理
次に、流し撮り位置パルス数Padsを補正する処理について説明する。この処理は流し撮りの前処理として実行される。特に、図7におけるステップS711とステップS712の間において実行される。
【００７４】
図7のステップS711においてスキャンユニット103を流し撮り位置まで移動させ、ステップS712にて給電コイル210c0に流し撮り用電圧値Vadsの給電電圧を入力した後、流し撮り位置の補正の要否を判定する。図15に示すように、結合係数指標値Cを取得する（S1501）。取得した結合係数指標値Cが所定の閾値Cthよりも大きければ（S1502:YES）、現在の流し撮り位置において十分に高い給電効率が得られていると考えられるので、図7のステップS713に進んで流し撮りを開始する。なお、この閾値Cthは第2の実施の形態で用いた閾値Cthと同じであってもよいし、異なっていてもよい。
【００７５】
結合係数指標値Cが閾値Cth以下である場合には（S1502:NO）、現在の流し撮り位置において十分に高い給電効率が得られていないと考えられるので、以下のように流し撮り位置を補正する。まず、流し撮りポジション開始位置Pstartを用いて、スキャンユニット103を流し撮りポジション開始位置まで移動させる（S1503）。
そして、スキャンユニット103を流し撮りポジションの範囲内で移動させながら、位置毎に結合係数指標値Cを取得し（S1504）、現在位置に対応するパルス数と関連付けて結合係数指標値Cを結合係数指標値テーブルに記憶する（S1505）。
【００７６】
図16に示すように、結合係数指標値テーブル1600は、パルス数欄1601と結合係数指標値欄1602とからなっている。画像読取装置100は、パルス数欄1601のうちホームポジションXhomeから現在位置まで移動するためにスキャンユニット駆動モーター14に入力しなければならないパルス数の欄に対応する結合係数指標値欄1602に、現在位置で取得した結合係数指標値Cを記憶する。なお、図16においては、パルス数欄1601においてパルス数が10個ずつ増加する場合を例示したが、パルス数の増分が10個に限定されないのは言うまでもなく、スリットガラス11の大きさや、流し撮り位置パルス数Xgls1の精度に合わせて適当な個数を選択するのが望ましい。
【００７７】
上記の処理を繰り返して、スキャンユニット103が流し撮りポジション終了位置に到達したら（S1506:YES）、結合係数指標値テーブルを参照して、最大の結合係数指標値Cに対応するパルス数を特定する(S1507)。そして、特定したパルス数を新たな流し撮り位置パルス数Xgls1としてデータメモリ46に記憶し（S1508）、スキャンユニット103を新たな流し撮り位置に移動して（S1509）、図7のステップS713に進む。なお、スキャンユニット103を新たな流し撮り位置に移動する際には、スキャンユニット103を一旦ホームポジションXhomeに戻してもよい。また、現在位置（流し撮りポジション終了位置）から流し撮り位置までに入力すべきパルス数を算出して、ホームポジションXhomeに戻ることなく流し撮り位置まで移動してもよい。
【００７８】
このようにすれば、給電効率が最も高い位置で流し撮りを実行できるので、スキャナー移動読み取り時よりも給電コイルに入力する給電電圧を低くしても、給電効率の低下に起因する読み取り画質の低下を防止することができる。
例えば、スキャンユニット103を移動させる駆動機構が経時損耗などが生じて、劣化前と同じパルス数をスキャンユニット駆動モーター14に入力しても、劣化前と同じ位置までスキャンユニット103を移動させることができなくなる場合がある。また、受電コイル200や給電コイル210c0の取り付け位置にばらつきが生じて、画像読取装置100の工場出荷時に一律に設定されるデフォルトのパルス数では所望の流し撮り位置までスキャンユニット103を移動させることができない場合もある。
【００７９】
補正前には、図17のように、パルス数に対して結合係数指標値Cがグラフ1702のように変化し、パルス数1712で結合係数指標値Cが閾値Cthを超えて最大となると想定して流し撮り位置パルス数Padsを設定していたところ、実際に結合係数指標値Cを取得すると、パルス数に対して結合係数指標値Cがグラフ1701のように変化することが分かった場合、結合係数指標値Cが実際に最大になる位置で流し撮りを実行できるように、流し撮り位置パルス数Padsを元のパルス数から△Pだけ補正してパルス数1711にすれば、給電効率の最大化を図ることができる。
【００８０】
なお、上記においては、結合係数指標値Cが最大となる位置を特定したが、本発明がこれに限定されないのは言うまでもなく、結合係数指標値Cが閾値Cthよりも高ければ、必要な給電効率を確保することができる。このため、ステップS1507において、まず、結合係数指標値テーブルにおいて、結合係数指標値Cが閾値Cthよりも高くなっている位置を特定し、特定した位置のうち別の条件を満たす位置を選択してもよい。
【００８１】
例えば、副走査方向におけるスリットガラス11の中心位置に最も近い位置を新たな流し撮り位置としてもよい。スリットガラス11の中心位置に近いほど、原稿Dがスリットガラス11に接触する可能性が高いので、原稿Dとスキャンユニット103の読み取り光学系とが読み取りに適した位置関係になる可能性が高い。従って、十分な給電効率を確保できるのみならず、読み取り画質を高めることができる。
[4]第4の実施の形態
本実施の形態に係る画像読取装置100は、上記第1の実施の形態に係る画像読取装置100と概ね同様の構成を備える一方、スキャナー移動読み取り時に受電コイル200と給電コイル210c1〜210c7との結合係数に応じて給電コイル210c1〜210c7に入力する給電電圧を変化させる点で相違している。以下、相違点に着目して説明する。
(4-1)制御部15の構成
まず、本実施の形態に係る制御部15の構成について説明する。
【００８２】
図18に示すように、本実施の形態に係る制御部15のデータメモリ46には、位置−電圧変換テーブルが記憶されている。位置−電圧変換テーブルは、受電コイル200と給電コイル210c1〜210c7との位置関係に給電コイル210c1〜210c7への給電電圧を対応付けたテーブルである。受電コイル200と給電コイル210c1〜210c7との位置関係は副走査方向に沿って周期的に変化するので、位置−電圧変換テーブルには1周期分の給電電圧が記憶されている。
【００８３】
プログラムメモリ47には、電圧制御プログラム58が記憶されている。電圧制御プログラム58は、受電コイル200と給電コイル210c1〜210c7との位置関係を特定し、位置−電圧変換テーブルを参照して得られた給電電圧を給電コイル210c1〜210c7に入力する。
(4-2)電圧制御処理
次に、本実施の形態に係る電圧制御処理について説明する。この電圧制御処理は、図7のステップS723の処理を完了した後、ページ全体の読み取りが完了するまで（ステップS724:YES）、実行される。
【００８４】
図7のステップS723にてスキャナー移動読み取りを開始した後、図19に示すように、画像読取装置100は受電コイル200と給電コイル210c1〜210c7との位置関係を特定する（S1901）。位置関係は、例えば、スキャンユニット駆動モーター14の回転角θやスキャン開始位置からの移動距離、受電コイル200と給電コイル210c1〜210c7との結合係数指標値Cなどを用いて特定することができる。
【００８５】
次に、位置−電圧変換テーブルを参照して、特定した位置関係に応じた給電電圧値を取得し（S1902）、給電コイル210c1〜210c7に入力する給電電圧の値を、取得した給電電圧値に変更する（S1903）。
その後、ページ全体の読み取りを完了していなければ（S724:NO）、ステップS1901に進んで上記の処理を繰り返す。なお、上記の処理は、受電コイル200と給電コイル210c0〜210c7との位置関係が所定量だけ変化するごとに実行してもよい。例えば、スキャンユニット駆動モーター14の回転角θが所定角度だけ変化するたびに上記処理を実行してもよいし、スキャンユニット103が所定距離だけ移動するたびに上記処理を実行してもよい。また、結合係数指標値Cが所定量だけ変化するたびに上記処理を実行してもよい。
【００８６】
ページ全体の読み取りを完了したら（S724:YES）、図7のステップS715へ進む。
(4-3)受電コイル200と給電コイル210c1〜210c7との位置関係の特定
受電コイル200と給電コイル210c1〜210c7との位置関係の特定を、スキャンユニット駆動モーター14の回転角θ、スキャン開始位置からの移動距離、及び受電コイル200と給電コイル210c1〜210c7との結合係数指標値Cを用いる場合について説明する。勿論、他の方法を用いて受電コイル200と給電コイル210c1〜210c7との位置関係を特定してもよい。
(4-3-1)スキャンユニット駆動モーター14の回転角θを用いた特定
スキャンユニット駆動モーター14の回転角θが0度から360度まで増加する間にスキャンユニット103が移動する距離（以下、「1回転距離Lm」という。）が、副走査方向において隣り合う給電コイル210c1〜210c7の中心軸同士の距離（以下、「コイル間隔Lc」という。）の整数倍になっている場合には、スキャンユニット駆動モーター14の回転角θを用いて受電コイル200と給電コイル210c1〜210c7との位置関係を特定することができる。
【００８７】
1回転距離Lmがコイル間隔Lcの2倍になっており、スキャンユニット駆動モーター14の回転角θが90度及び270度であるときに受電コイル200と給電コイル210c1〜210c7とが正対する場合を例にとって説明する。この場合においては、図20に示すように、回転角θが0度及び180度のときに、受電コイル200と給電コイル210c1〜210c7との結合係数が最も小さくなるので、給電電圧を最も高くして、LEDドライバー26の入力電圧の低下を防止する。
【００８８】
また、回転角θが90度及び270度のときには、受電コイル200と給電コイル210c1〜210c7との結合係数が最も大きくなるので、給電電圧を最も低くして、LEDドライバー26の入力電圧の上昇を防止する。このようにすれば、スキャンユニット103の移動に伴うLEDドライバー26の入力電圧の変動を抑制して、LEDアレイ17の出射光量を安定化することができるので、優れた読み取り画質を達成することができる。
【００８９】
位置−電圧変換テーブルは、図21(a)に例示するように、スキャンユニット駆動モーター14の回転角θと給電コイル210c1〜210c7の給電電圧とを対応付けて記憶する。図21には、回転角θを5度ずつ増加させており、1回転距離Lmがコイル間隔Lcの2倍であることから、回転角θが0度から175度までと回転角θが180度から355度までとで同じ給電電圧V0からV175が繰り返される。回転角θが5度の倍数になっていない場合には、当該回転角θの直近の2つの回転角θに対応する給電電圧を用いて内挿してもよい。また、十分な精度で給電電圧を特定することができれば、位置−電圧変換テーブルにおける回転角θの間隔は5度に限定されず、また、等間隔でなくてもよい。
【００９０】
なお、スキャンユニット駆動モーター14の回転角θは、ロータリーエンコーダー等の回転角検出機構（図示せず）をスキャンユニット駆動モーター14に設ければ検出することができる。
(4-3-2)スキャン開始位置からの移動距離を用いた特定
スキャン開始位置からの移動距離を用いて受電コイル200と給電コイル210c1〜210c7との位置関係を特定する場合には、スキャンユニット駆動モーター14に入力するパルス数を用いてもよい。
【００９１】
ホームポジションXhomeから現在位置までスキャンユニット103を移動させるのに要するパルス数をPnowとし、副走査方向において隣り合う給電コイル210c1〜210c7の中心軸の間隔だけスキャンユニット103を移動させるのに必要なパルス数をPintervalとして、受電コイル200と給電コイル210c1〜210c7との位置関係を表すパルス数Pphaseを次のように算出する。
【００９２】
Pphase = （Pnow − Xgls2） % Pinterval
ここで、「%」は被除数を除数で割った余りを求める演算を表している。すなわち、まず現在位置Pnowからスキャン開始位置Xgls2を差し引いて、スキャン開始位置Xgls2から現在位置Pnowまでのパルス数を求める。求めたパルス数をコイル間隔Lcに相当するパルス数Pintervalで割った余りが求めるパルス数Pphaseである。
【００９３】
位置−電圧変換テーブルは、図21(b)に例示するように、位置関係を表すパルス数Pphaseに対応付けて給電電圧を記憶する。この場合においても、位置−電圧変換テーブルにおけるパルス数Pphaseの間隔の大きさや等間隔にするか非等間隔にするかの選択は給電電圧の必要精度に応じて決定すればよい。
(4-3-3)結合係数指標値Cを用いた特定
結合係数指標値Cを用いて受電コイル200と給電コイル210c1〜210c7との位置関係を特定する場合について説明する。
【００９４】
上記第2及び第3の実施の形態と同様にすれば、スキャンユニット103から結合係数指標値Cを取得することができる。この場合において、位置−電圧変換テーブルは、図21(c)に例示するように、結合係数指標値Cに対応付けて給電電圧を記憶し、結合係数指標値Cが最も小さい値Cminをとる場合に給電電圧は最も高い値Vmaxをとり、結合係数指標値Cが増加するにつれて給電電圧は低下し、結合係数指標値Cが最も大きい値Cmaxをとる場合には給電電圧は最も低い値Vminになる。
【００９５】
このようにしても、LEDドライバー26の入力電圧を安定化して、高い読み取り画質を得ることができる。
[5]第5の実施の形態
本実施の形態に係る画像読取装置100は上記第4の実施の形態に係る画像読取装置100とおおむね同様の構成を備える一方、給電コイル210c1〜210c7の給電電圧に代えて、コイル制御回路43の動作周波数を変化させることによってLEDドライバー26の入力電圧を制御することを特徴とする。以下、この特徴に着目して説明する。
(5-1)制御部15
まず、本実施の形態に係る制御部15について説明する。
【００９６】
図22に示すように、本実施の形態に係る制御部15のデータメモリ46は、位置−動作周波数変換テーブルを記憶している。位置−動作周波数変換テーブルは、受電コイル200と給電コイル210c1〜210c7との位置関係とコイル制御回路43の動作周波数とを対応付けて記憶している。受電コイル200と給電コイル210c1〜210c7との位置関係は副走査方向に沿って周期的に変化するので、位置−動作周波数変換テーブルには1周期分の動作周波数が記憶されている。
【００９７】
プログラムメモリ47には、動作周波数制御プログラム59が記憶されている。動作周波数制御プログラム59は、受電コイル200と給電コイル210c1〜210c7との位置関係を特定し、位置−動作周波数変換テーブルを参照して得られた動作周波数をコイル制御回路43に指示する。
(5-2)給電電圧
本実施の形態におけるスキャナー移動読み取り時の給電電圧の値は、スキャンユニット103の位置に関係なく、上記第1及び第2の実施の形態と同様にスキャナー移動読み取り用電圧値Vscanである。また、流し撮り時の給電電圧の値は、上記第1から第4までの実施の形態と同様に、流し撮り用電圧値Vadsを用いてもよい。
【００９８】
なお、後述のように、コイル制御回路43の動作周波数を変更すれば、LEDドライバー26の入力電圧を変化させることができる。従って、流し撮りであるかスキャナー移動読み取りであるかに関わらず同じ給電電圧を給電コイル210c0〜210c7に入力し、動作周波数を変化させることのみによってLEDドライバー26の入力電圧を制御してもよい。
流し撮り時の給電電圧が、スキャナー移動読み取りである時の給電電圧に等しいか否かに関わらず流し撮り時の動作周波数は一定周波数に維持される（図25を参照）。
(5-3)動作周波数制御処理
次に、動作周波数制御処理について説明する。動作周波数制御処理は、図7のステップS723の処理を完了した後、ページ全体の読み取りが完了するまで（ステップS724:YES）、実行する。
【００９９】
図7のステップS723にてスキャナー移動読み取りを開始した後、図23に示すように、画像読取装置100は受電コイル200と給電コイル210c1〜210c7との位置関係を特定する（S2301）。位置関係は、上記第4の実施の形態と同様に、スキャンユニット駆動モーター14の回転角θやスキャン開始位置からの移動距離、受電コイル200と給電コイル210c1〜210c7との結合係数指標値Cなどを用いて特定することができる。勿論、他の方法を用いて受電コイル200と給電コイル210c1〜210c7との位置関係を特定してもよい。
【０１００】
次に、位置−動作周波数変換テーブルを参照して、特定した位置関係に応じた動作周波数を取得し（S2302）、コイル制御回路43に動作周波数を指示する（S2303）。
図24に示すように、コイル制御回路43は、給電コイル制御IC60を用いて2つの給電コイル駆動IC61、62を制御することによって生成した矩形波信号を給電コイル210c0〜210c7に入力する。この矩形波信号の振幅は給電電圧に等しくなっている。給電コイル210c0〜210c7とキャパシター211c0〜211c7とからなる各LC共振回路41c0〜41c7は、矩形波信号を入力されると、LC共振動作によって正弦波電圧を出力する。給電コイル制御IC60は、CPU44からの指示に従って動作周波数（矩形波信号の周波数）を決定する。動作周波数が変更されるとLEDドライバー26の入力電圧もまた変化する。
【０１０１】
なお、図24には、LC共振回路41c1のみを示し、他のLC共振回路41c0及び41c2〜41c7は省略されているが、LC共振回路41c1と同様の構成によってコイル制御回路43から矩形波信号を入力される。
図25に示すように、受電コイル200と給電コイル210c1〜210c7との結合係数が最も小さい場合には、動作周波数を最も低くして、LEDドライバー26の入力電圧の低下を防止する。また、受電コイル200と給電コイル210c1〜210c7との結合係数が最も大きい場合には、動作周波数を最も高くして、LEDドライバー26の入力電圧の上昇を防止する。このようにすれば、スキャンユニット103の移動に伴うLEDドライバー26の入力電圧の変動を抑制することができるので、優れた読み取り画質を達成することができる。
【０１０２】
なお、受電コイル200と給電コイル210c0〜210c7との位置関係に応じて動作周波数を決定する方法は、上記第4の実施の形態において、給電電圧を決定する方法と同様に考えることができる。例えば、スキャンユニット駆動モーター14の回転角θから位置関係を特定する場合には、位置−動作周波数変換テーブルは、図26に例示するように、回転角θの欄と動作周波数の欄とからなっており、回転角θに動作周波数を対応付ける。ただし、この例においては、1回転距離Lmがコイル間隔Lcに等しいものとする。このような位置−動作周波数変換テーブルを用いれば、受電コイル200と給電コイル210c0〜210c7との位置関係に応じて動作周波数を決定することができる。
【０１０３】
その後、ページ全体の読み取りを完了していなければ（S724:NO）、ステップS2301に進んで上記の処理を繰り返す。ページ全体の読み取りを完了したら（S724:YES）、図7のステップS715へ進む。
[6]変形例
以上、本発明を実施の形態に基づいて説明してきたが、本発明が上述の実施の形態に限定されないのは勿論であり、以下のような変形例を実施することができる。
(6-1)上記実施の形態においては、受電コイル200及び給電コイル210c0〜210c7の具体的な構成について特に言及しなかったが、給電コイル210c0〜210c7として同じ構成を有するコイルを用いれば、給電コイル210c0〜210c7の部品コストを低減することができると共に、各給電コイル210c0〜210c7の取り付け位置に関係なく同じコイルを取着すればよいので画像読取装置100の組み立てが容易になる。受電コイル200にも同じ構成を有するコイルを用いれば、更なる部品コスト低減や組み立て容易性の向上を図ることができる。
【０１０４】
また、コイルの構成を工夫すれば給電効率を向上させることができる。例えば、複数のコイルを中心軸が一致するように重ね合わせて電気的に並列に接続すれば（図27（b））、当該複数のコイルのうち１つのコイルのみを使用する場合（図27(a)）よりも給電効率を向上させることができる。コイル線径を大きくしたり（図27(c)）、巻き数を増やしたりすることによっても（図27(d)）、給電効率を向上させることができる。
【０１０５】
流し撮り用の給電コイル210c0として、スキャナー移動読み取り用の給電コイル210c1〜210c7と同じ構成を有する複数のコイルを、図27(b)のように、電気的に並列接続し、かつコイルの中心軸が互いに略一致するように重ね合わせたコイルを用いれば、流し撮り用の給電コイル210c0に流れる電流の許容値を上げることができる。従って、高い効率で給電を行うことができる。
【０１０６】
また、流し撮り用の給電コイル210c0として、スキャナー移動読み取り用の給電コイル210c1〜210c7よりもコイル線径が大きいコイルを用いてもよい。このようにしても、流し撮り用の給電コイル210c0に流れる電流の許容値を上げることができるので、高い効率で給電を行うことができる。
流し撮り用の給電コイル210c0として、スキャナー移動読み取り用の給電コイル210c1〜210c7とよりもコイル線径が大きい複数のコイルを、図27(b)のように、電気的に並列接続し、かつコイルの中心軸が互いに略一致するように重ね合わせたコイルを用いれば、更に効果を大きくすることができる。
受電コイル200については、給電コイル210c0〜210c7よりもコイル線径が大きいコイルを用いてもよいし、給電コイル210c0〜210c7よりも巻き数が多いコイルを用いてもよい。更に、給電コイル210c0〜210c7よりもコイル線径が大きく、かつ巻き数が多いコイルを用いてもよい。このようにすれば、給電コイル210c0〜210c7の出力以上の電力に対応することができる受電コイル200を得ることができる。
【０１０７】
更に、受電コイル200と給電コイル210c0〜210c7とでコイルの構成を変えることによって、給電電圧に対するLEDドライバー26の入力電圧の比を変化させることもできる。また、流し撮り時に使用する給電コイル210c0と、スキャナー移動読み取り時に使用する給電コイル210c1〜210c7とでコイルの構成を異ならせてもよい。このようにすれば、流し撮り時とスキャナー移動読み取り時とで同じ給電電圧を用いても、LEDドライバー26の入力電圧を異ならせることができる。例えば、給電電圧が同じであっても、給電コイル210c0と給電コイル210c1〜210c7とでコイルの巻き数を異ならせれば、この巻き数の比に応じて、LEDドライバー26の入力電圧を異ならせることができる。
【０１０８】
また、上記実施の形態においては、平面視において矩形状のコイルを用いる場合を例にとったが、本発明がこれに限定されないのは言うまでもなく、平面視において矩形以外の形状のコイルを用いてもよい。例えば、図27(e)に示すように、平面視において円形状のコイルを用いてもよい。なお、受電コイル200と給電コイル210c0〜210c7とで平面視における形状が一致しているほうが、磁束の漏れを少なくすることができるので、給電効率を高くすることができる。
(6-2)上記実施の形態においては、スキャンユニット103から取得した結合係数指標値Cを用いて受電コイル200と給電コイル210c0〜210c7との結合係数の大きさを評価する場合を例にとって説明したが、本発明がこれに限定されないのは言うまでもなく、これに代えて、LC共振動作中における給電コイル210c0〜210c7の端子間電圧を検出することによって結合係数の大きい差を評価してもよい。このようにしても、本発明の効果は同じである。
(6-3)上記実施の形態においては、スキャンユニット103の位置がホームポジションXhomeからスキャン開始位置Xgls2に到達する前までは給電電圧として流し撮り用電圧値Vadsを用い、スキャン開始位置Xgls2に到達した以後はスキャナー移動読み取り用電圧値Vscanを用いる場合を例にとって説明したが、これに代えて次のようにしてもよい。
【０１０９】
例えば、スキャンユニット103の目線位置3がスリットガラス11上にあるときのみ、給電電圧として流し撮り用電圧値Vadsを用いてもよい（図28）。更に、流し撮り時はスキャンユニット103を流し撮り位置Xgls1に静止させて原稿Dを読み取ることから、スキャンユニット103が流し撮り位置Xgls1にあるときのみ流し撮り用電圧値Vadsを用いてもよい。このようにしても、流し撮り時におけるLEDドライバー26の入力電圧を高効率動作範囲内に収めることができるので、流し撮り枚数に関わらずLEDドライバー26の温度上昇を所定の温度以下に規制することができる。
(6-4)上記実施の形態においては、給電コイル210c0を流し撮り専用とし、給電コイル210c1〜210c7をスキャナー移動読み取り専用とする場合を例にとって説明したが、本発明がこれに限定されないのは言うまでもなく、これに代えて次のようにしてもよい。
【０１１０】
すなわち、給電コイル210c0を流し撮りとスキャナー移動読み取りとに兼用してもよい。この場合においては、流し撮り読み取り位置Xgls1よりもスキャン開始位置Xgls2が副走査方向におけるホームポジションXhome側になる。また、給電コイル210c0は、流し撮り時には流し撮り用電圧値Vadsが、スキャナー移動読み取り時にはスキャナー移動読み取り用電圧値Vscanが、それぞれ給電電圧として入力される。
【０１１１】
更に、スリットガラス11を用いない代わりに、プラテンガラス12の副走査方向におけるホームポジションXhome側の部分が流し撮り用に兼用される。なお、流し撮り時において原稿Dを読み取り位置から排紙ローラー対138に導くためのガイド部材をADF102側に設ける必要がある。
このような構成においても、本発明の効果を得ることができる。
(6-5)上位実施の形態においては、スキャンユニット103に撮像素子を搭載した一体型のユニットスキャン構造の画像読取装置100を例にとって説明したが、本発明がこれに限定されないのは言うまでもなく、これに代えてスキャナー本体部101側に撮像素子を踏査した構成にしてもよい。このような構成においても、本発明を適用することによって上記と同様の効果を得ることができる。
(6-6)上記実施の形態においては、8個の給電コイルをスキャナー本体部101に列設する場合を例にとって説明したが、本発明がこれに限定されないのは言うまでもなく、給電コイルの個数は7個以下であっても9個以上であってもよい。また、上記実施の形態においては、給電コイル列が1列のみである場合を例にとって説明したが、給電コイル列を複数設けてもよい。
【０１１２】
給電コイル列を複数設ける場合には、各給電コイル列にそれぞれ対応してスキャンユニット103に搭載される複数の受電コイル200どうしが副走査方向において中心軸が互いに同一位置になるように配設する一方、給電コイル列どうしで副走査方向における給電コイルの中心軸の位置が互いに重ならないようにしてもよい。また、複数の受電コイル200どうしが副走査方向において中心軸が互いに同一位置にならないように配設し、かつ給電コイル列どうしで副走査方向において中心軸が互いに同一位置になるように配設してもよい。
【０１１３】
このようにすれば、スキャンユニット103の移動に応じた受電コイル200と給電コイル210c0〜210c7との結合係数の変化の仕方が、受電コイル200どうしで異なるので、例えば、スキャンユニット103が移動するにつれて結合係数が最も高い受電コイル200を順次選択すればLEDドライバー26の入力電圧を高く維持することができる。
(6-7)上記実施の形態においては、画像形成装置１がタンデム型のカラー複合機である場合を例にとって説明したが、本発明がこれに限定されないのは言うまでもなく、これに代えてタンデム型以外のカラー複合機に本発明を適用してもよいし、モノクロ複合機に適用してもよい。また、カラースキャナーやモノクロスキャナーといった画像読み取り装置や、更に通信機能を備えたファクシミリ装置に本発明を適用しても同様の効果を得ることができる。
【産業上の利用可能性】
【０１１４】
本発明に係る画像読取装置は、スキャンユニットへの無線給電を安定化する装置として有用である。
【符号の説明】
【０１１５】
15 …制御部
100…画像読取装置
101…スキャナー本体部
102…ADF
103…スキャンユニット
200…受電コイル
210…給電コイル
【図１】
2018019196.tif 000003
【図２】
2018019196.tif 000004
【図３】
2018019196.tif 000005
【図４】
2018019196.tif 000006
【図５】
2018019196.tif 000007
【図６】
2018019196.tif 000008
【図７】
2018019196.tif 000009
【図８】
2018019196.tif 000010
【図９】
2018019196.tif 000011
【図１０】
2018019196.tif 000012
【図１１】
2018019196.tif 000013
【図１２】
2018019196.tif 000014
【図１３】
2018019196.tif 000015
【図１４】
2018019196.tif 000016
【図１５】
2018019196.tif 000017
【図１６】
2018019196.tif 000018
【図１７】
2018019196.tif 000019
【図１８】
2018019196.tif 000020
【図１９】
2018019196.tif 000021
【図２０】
2018019196.tif 000022
【図２１】
2018019196.tif 000023
【図２２】
2018019196.tif 000024
【図２３】
2018019196.tif 000025
【図２４】
2018019196.tif 000026
【図２５】
2018019196.tif 000027
【図２６】
2018019196.tif 000028
【図２７】
2018019196.tif 000029
【図２８】
2018019196.tif 000030